(57)【要約】【課題】カーテンの襞の変形を阻害しにくいカーテン用機能付加シートを提供する。【解決手段】上記課題は、縦方向ＬＤ及び横方向ＷＤに延びるシート材１と、このシート材１のカーテン２０側となる面に設けられた粘着剤層２とを有し、シート材１は、カーテン２０に機能を付加する薬剤を含有しており、シート材１の縦方向ＬＤの全体にわたり直線的に連続する、粘着剤層２を有しない第１領域１１と、粘着剤層２を有する第２領域１２とが、横方向ＷＤに交互に繰り返し設けられている、カーテン用機能付加シート１０により解決される。【選択図】図１
2020048997.tif 000002
【特許請求の範囲】
【請求項１】
縦方向及び横方向に延びるシート材と、このシート材のカーテン側となる面に設けられた粘着剤層とを有し、
前記シート材は、前記カーテンに機能を付加する薬剤を含有しており、
前記シート材の縦方向の全体にわたり直線的に連続する、前記粘着剤層を有しない第１領域と、前記粘着剤層を有する第２領域とが、前記横方向に交互に繰り返し設けられている、
ことを特徴とする、カーテン用機能付加シート。
【請求項２】
前記第１領域に、前記縦方向に沿って連続するミシン目が設けられており、このミシン目を切り離すことにより横方向に複数のシートに分割可能となっている、
請求項１記載のカーテン用機能付加シート。
【請求項３】
前記シート材には、前記横方向に間欠的に、前記縦方向に沿って延びる易折り曲げ部が設けられている、
請求項１又は２記載のカーテン用機能付加シート。
【請求項４】
前記第２領域における前記粘着剤層は、前記縦方向に間欠的に設けられている、
請求項１〜３のいずれか１項に記載のカーテン用機能付加シート。
【請求項５】
前記カーテン用機能付加シートの縦方向の寸法が０．２〜０．６ｍであり、前記カーテン用機能付加シートの横方向の寸法が前記縦方向の寸法の０．５倍以上であり、前記第１領域の横方向の寸法が０．０１〜０．０５ｍであり、前記第２領域の横方向の寸法が０．０３〜０．０８ｍである、
請求項１〜４のいずれか１項に記載のカーテン用機能付加シート。
【請求項６】
前記シート材は、構成繊維の繊度が０．５〜１０．０ｄｔｅｘ、目付けが１３〜１００ｇ／ｍ2、かつ厚みが０．１〜２．０ｍｍの不織布である、
請求項１〜５のいずれか１項に記載のカーテン用機能付加シート。
【請求項７】
前記粘着剤層は、透明粘着剤からなるものである、
請求項６記載のカーテン用機能付加シート。
【発明の詳細な説明】
【技術分野】
【０００１】
本発明は、消臭剤や芳香剤、防虫剤、殺虫剤等の薬剤による機能を付加するためのカーテン用機能付加シートに関する。
【背景技術】
【０００２】
従来、消臭剤や芳香剤、防虫剤、殺虫剤等の薬剤を室内に用いる方法としては、スプレーを用いて室内物品に薬剤を噴霧したり、薬剤を蒸散する小型の置物や、臭気を吸着する小型の置物を設置したりすることが知られている。
【０００３】
例えば、一般家庭や介護現場では、室内カーテンに生活臭（食物臭、体臭、排泄臭、ペット臭、たばこ臭等）がしみつくことがあるため、これを防止又は軽減するために、カーテンに消臭剤又は芳香剤を噴霧したり、カーテンの近くに消臭用や芳香用の置物を設置したりすることが行われている。
【０００４】
しかし、これらの方法をカーテンに用いることは好ましくない。例えば、カーテンに薬剤を噴霧する方法では、カーテンにシミや変色を発生させるおそれがある。
【０００５】
また、消臭用や芳香用の置物をカーテンの近くに設置する方法では、カーテンの広範囲に十分な効果を及ぼすことが困難である。また、認知機能に問題を有する人が置物の中の薬剤を食べ物と間違えて口に入れるおそれもある。
【０００６】
他方で、対象物品に粘着させて使用する粘着消臭・抗菌シート（特許文献１参照）や、芳香・消臭シート（特許文献２参照）も提案されている。しかし、これらは小片での使用を想定しているため、カーテン全体に効果を及ぼすためには非現実的な数のシートをカーテンに貼り付ける必要がある。また、これらのシートを大きく形成したとしても、粘着剤層が連続しているため、カーテンにキレイに貼り付けにくいだけでなく、カーテンの襞の変形が阻害されるため、カーテンの外観が悪化したり、カーテンの開閉動作等により粘着剤層がカーテンから剥がれやすくなったりするおそれがある。
【先行技術文献】
【特許文献】
【０００７】
【特許文献１】実登３１８１５３４号明細書
【特許文献２】特開２００７−２４４７１４号公報
【発明の概要】
【発明が解決しようとする課題】
【０００８】
そこで、本発明の主たる課題は、カーテンの襞の変形を阻害しにくいカーテン用機能付加シートを提供すること等にある。
【課題を解決するための手段】
【０００９】
上記課題を解決したカーテン用機能付加シートは以下のとおりである。
＜第１の態様＞
縦方向及び横方向に延びるシート材と、このシート材のカーテン側となる面に設けられた粘着剤層とを有し、
前記シート材は、前記カーテンに機能を付加する薬剤を含有しており、
前記シート材の縦方向の全体にわたり直線的に連続する、前記粘着剤層を有しない第１領域と、前記粘着剤層を有する第２領域とが、前記横方向に交互に繰り返し設けられている、
ことを特徴とする、カーテン用機能付加シート。
【００１０】
（作用効果）
本カーテン用機能付加シートは、カーテンに貼り付けることにより、カーテンに消臭剤等の薬剤の機能を付加するものである。したがって、カーテンに薬剤を噴霧する方法と異なり、カーテンにシミや変色を発生させるおそれがなく、消臭用や芳香用の置物と異なり、カーテンの広範囲に十分な機能を付加することが可能である。もちろん、認知機能に問題を有する人であっても食べ物と誤認しにくいものでもある。そして、本カーテン用機能付加シートをカーテンに貼り付けた状態では、本カーテン用機能付加シートの各第１領域と対向する部分でカーテンがある程度自由に変形できるため、全体としてカーテンの襞の変形が阻害されにくくなる。この結果、カーテンの外観が悪化したり、カーテンの開閉動作等により粘着剤層がカーテンから剥がれやすくなったりするおそれが少ないものとなる。
【００１１】
＜第２の態様＞
前記第１領域に、前記縦方向に沿って連続するミシン目が設けられており、このミシン目を切り離すことにより横方向に複数のシートに分割可能となっている、
第１の態様のカーテン用機能付加シート。
【００１２】
（作用効果）
このように第１領域に形成されたミシン目で横方向に複数のシートに分割可能であると、貼り付け対象のカーテンの寸法や、目的とする効果の程度に応じて、シートの寸法を適宜調整することができるため好ましい。
【００１３】
＜第３の態様＞
前記シート材には、前記横方向に間欠的に、前記縦方向に沿って延びる易折り曲げ部が設けられている、
第１又は２の態様のカーテン用機能付加シート。
【００１４】
（作用効果）
シート材に、このような易折り曲げ部（例えば、ミシン目やエンボス加工による凹部等）が設けられていると、本カーテン用機能付加シートが変形しやすくなり、カーテンの変形がより阻害されにくくなるため好ましい。
【００１５】
＜第４の態様＞
前記第２領域における前記粘着剤層は、前記縦方向に間欠的に設けられている、
第１〜３のいずれか１つの態様のカーテン用機能付加シート。
【００１６】
（作用効果）
粘着剤層は、縦方向にも間欠的に設けられると、カーテンの変形がより阻害されにくくなるため好ましい。
【００１７】
＜第５の態様＞
前記カーテン用機能付加シートの縦方向の寸法が０．２〜０．６ｍであり、前記カーテン用機能付加シートの横方向の寸法が前記縦方向の寸法の０．５倍以上であり、前記第１領域の横方向の寸法が０．０１〜０．０５ｍであり、前記第２領域の横方向の寸法が０．０３〜０．０８ｍである、
第１〜４のいずれか１つの態様のカーテン用機能付加シート。
【００１８】
（作用効果）
通常の場合、カーテン用機能付加シートの寸法及びその各部の寸法は本態様の範囲内であると、様々なカーテンに対して十分に広範囲に貼り付けできるため好ましい。
【００１９】
＜第６の態様＞
前記シート材は、構成繊維の繊度が０．５〜１０．０ｄｔｅｘ、目付けが１３〜１００ｇ／ｍ2、かつ厚みが０．１〜２．０ｍｍの不織布である、
第１〜５のいずれか１つの態様のカーテン用機能付加シート。
【００２０】
（作用効果）
シート材としては柔軟性や、カーテン素材との親和性の加点から不織布が好ましい。そして、特に本態様の範囲内の不織布であると、通気性に優れるため、薬剤が空気との接触により効果を発揮する消臭剤や芳香剤、殺虫剤等においては、その効果を発揮する上で特に好ましいものとなる。
【００２１】
＜第７の態様＞
前記粘着剤層は、透明粘着剤からなるものである、
第６の態様のカーテン用機能付加シート。
【００２２】
（作用効果）
前述の範囲内の低密度な不織布であると、可視光線の透過性にも優れるため、粘着剤層が透明粘着剤からなるものであると、カーテンに貼り付けたときにカーテンの模様や色が透けて見えやすくなる。よって、カーテンに対して本カーテン用機能付加シートを貼り付けたときに、カーテン本来の外観を生かすことができる。
【発明の効果】
【００２３】
以上のカーテン用機能付加シートによれば、使用時にカーテンの襞の変形を阻害しにくくなる、等の利点がもたらされる。
【図面の簡単な説明】
【００２４】
【図１】展開状態のカーテン用機能付加シートの平面図である。
【図２】図１のＡ−Ａ断面図である。
【図３】カーテン用機能付加シートをカーテンに取り付けた状態を概略的に示す斜視図である。
【図４】展開状態のカーテン用機能付加シートの平面図である。
【図５】展開状態のカーテン用機能付加シートの平面図である。
【図６】展開状態のカーテン用機能付加シートの平面図である。
【図７】展開状態のカーテン用機能付加シートの平面図である。
【図８】カーテン用機能付加シートのロール製品を概略的に示す斜視図である。
【図９】各種のカーテン用機能付加シートの平面図である。
【発明を実施するための形態】
【００２５】
図１及び図２は、縦方向ＬＤ及び横方向ＷＤに延びるシート材１と、このシート材１のカーテン２０側となる面に設けられた粘着剤層２とを有する、カーテン用機能付加シート１０を示している。特徴的には、このカーテン用機能付加シート１０では、シート材１は、カーテン２０に機能を付加する薬剤を含有している。また、シート材１の縦方向ＬＤの全体にわたり直線的に連続する、粘着剤層２を有しない第１領域１１と、粘着剤層２を有する第２領域１２とが、横方向ＷＤに交互に繰り返し設けられている。
【００２６】
本カーテン用機能付加シート１０は、図３に示すようにカーテン２０に貼り付けることにより、カーテン２０に消臭剤等の薬剤の機能を付加するものである。したがって、カーテン２０に薬剤を噴霧する方法と異なり、カーテン２０にシミや変色を発生させるおそれがなく、消臭用や芳香用の置物と異なり、カーテン２０の広範囲に十分な機能を付加することが可能である。もちろん、認知機能に問題を有する人であっても食べ物と誤認しにくいものでもある。そして、本カーテン用機能付加シート１０をカーテン２０に貼り付けた状態では、本カーテン用機能付加シート１０の各第１領域１１と対向する部分でカーテン２０がある程度自由に変形できるため、全体としてカーテン２０の襞の変形が阻害されにくくなる。この結果、カーテン２０の外観が悪化したり、カーテン２０の開閉動作等により粘着剤層２がカーテン２０から剥がれやすくなったりするおそれが少ないものとなる。
【００２７】
（シート材）
シート材１としては、不織布、ポリエチレンやポリプロピレン等のオレフィン系樹脂等からなるプラスチックフィルム、紙、織布等のシート状の素材であれば、特に限定なく使用できる。シート材１としては柔軟性や、カーテン素材との親和性の加点から不織布が好ましい。シート材１に用いる不織布としては、公知の不織布を適宜使用することができる。不織布の構成繊維としては、例えばポリエチレン又はポリプロピレン等のオレフィン系、ポリエステル系、ポリアミド系等の合成繊維（単成分繊維の他、芯鞘等の複合繊維も含む）の他、レーヨンやキュプラ等の再生繊維、綿等の天然繊維等、特に限定なく選択することができ、これらを混合して用いることもできる。不織布の柔軟性を高めるために、構成繊維を捲縮繊維とするのは好ましい。また、不織布の構成繊維は、親水性繊維（親水化剤により親水性となった疎水性繊維を含む）であっても、疎水性繊維若しくは撥水性繊維（撥水剤により撥水性となった撥水性繊維を含む）であってもよい。また、不織布は一般に繊維の長さや、シート形成方法、繊維結合方法、積層構造により、短繊維不織布、長繊維不織布、スパンボンド不織布、メルトブローン不織布、スパンレース不織布、サーマルボンド（エアスルー）不織布、ニードルパンチ不織布、ポイントボンド不織布、積層不織布（スパンボンド層間にメルトブローン層を挟んだＳＭＳ不織布、ＳＭＭＳ不織布等）等に分類されるが、これらのどの不織布も用いることができる。
【００２８】
シート材１に用いる不織布は特に限定されるものではないが、構成繊維の繊度が０．５〜１０．０ｄｔｅｘ、目付けが１３〜１００ｇ／ｍ2、かつ厚みが０．１〜２．０ｍｍの不織布であると好ましい。このような密度の不織布であると、通気性に優れるため、薬剤が空気との接触により効果を発揮する消臭剤や芳香剤、殺虫剤等においては、その効果を発揮しやすいものものとなる。
【００２９】
（粘着剤層）
粘着剤層２を構成する粘着剤は特に限定されるものではないが、例えばスチレン系ポリマー、粘着付与剤、可塑剤のいずれかが主成分であるものを公的に使用することができる。スチレン系ポリマーとしては、スチレン−エチレン−ブチレン−スチレンブロック共重合体、スチレン−ブチレン−スチレンブロック共重合体、スチレン−イソブチレン−スチレン共重合体等が挙げられるが、これらのうち１種のみを使用しても、二種以上のポリマーブレンドであってもよい。この中でも熱安定性が良好であるという点で、スチレン−エチレン−ブチレン−スチレンブロック共重合体が好ましい。また、粘着付与剤及び可塑剤としては、常温で固体のものを好ましく用いることができる。粘着付与剤としては、例えばＣ５系石油樹脂、Ｃ９系石油樹脂、ジシクロペンタジエン系石油樹脂、ロジン系石油樹脂、ポリテルペン樹脂、テルペンフェノール樹脂等を例示することができる。可塑剤としては、例えば、リン酸トリフレシル、フタル酸ジブチル、フタル酸ジオクチル等のモノマー可塑剤の他、ビニル重合体やポリエステルのようなポリマー可塑剤を例示することができる。
【００３０】
特に、粘着剤層２が透明粘着剤からなるものであると好ましい。すなわち、前述の範囲内の密度の不織布であると、可視光線の透過性にも優れるため、粘着剤層２が透明粘着剤からなるものであると、カーテン２０に貼り付けたときにカーテン２０の模様や色が透けて見えやすくなる。よって、カーテン２０に対して本カーテン用機能付加シート１０を貼り付けたときに、カーテン２０の本来の外観を生かすことができる。なお、このように、カーテン用機能付加シート１０の透明性を重視する場合、不織布の構成繊維の繊度は０．５〜１０．０ｄｔｅｘ、目付けは１３〜１００ｇ／ｍ2（特に２０〜３０ｇ／ｍ2）、厚みは０．１〜２．０ｍｍであるとより好ましい。
【００３１】
シート材１における粘着剤層２の配置は、シート材１の縦方向ＬＤの全体にわたり直線的に連続する、粘着剤層２を有しない第１領域１１と、粘着剤層２を有する第２領域１２とが、横方向ＷＤに交互に繰り返し設けられる限り特に限定されない。例えば、図１に示すように、長辺がシート材１の縦方向ＬＤに沿う長方形状の粘着剤層２が、シート材１の横方向ＷＤに間隔を空けて繰り返し設けられているのは、一つの好ましい例である。図４に示すように、第２領域１２における粘着剤層２は、縦方向ＬＤに間欠的に設けると、カーテン２０の変形がより阻害されにくくなるため好ましい。図４に示す例では、長方形状の粘着剤層２が行列状に配列されている。
【００３２】
粘着剤層２の形状は、図１及び図４に示すように長方形状とすることが簡素で好ましいが、三角形状や、五角形状、円形状、楕円形状、直線状、波線状（図７参照）等、適宜の形状とすることができる。
【００３３】
粘着剤層２の面積が大きいと、剥離に力を要するだけでなく、カーテン２０が織布である場合に生地を傷めるおそれがある。また、これを防止するために、単に粘着剤層２を設ける範囲を小さくすると、粘着力が弱くなる。よって、第２領域１２の粘着剤層２は、図５に示すように網状（図示例は斜め格子状となっているが、他の格子状でもよい）に形成したり、図６に示すようにドットパターンで形成したり、図７に示すように縦縞状（横縞状でもよい）に形成したりするのは好ましい。具体的にカーテン用機能付加シート１０全体に占める粘着剤層２の割合は７０〜９０％であると好ましい。また、粘着剤の塗布量は適宜定めることができるが、通常の場合２０〜６０ｇ／ｍ2程度とすることが好ましい。
【００３４】
なお、第１領域１１は、粘着剤層２を有しない部分がシート材１の縦方向ＬＤ全体にわたり直線的に連続する領域であるため、例えば、図７に示す第２領域１２のように、粘着剤層２を有しない部分が縦方向ＬＤに連続するものの、直線的に連続する部分を有しない場合には、その粘着剤層２を有しない部分は第１領域１１ではない。
【００３５】
第１領域１１の横方向ＷＤの寸法（第２領域１２の横方向ＷＤの間隔）は適宜定めることができるが、通常の場合、１０〜３０ｍｍ程度とすることができる。また、第２領域１２の横方向ＷＤの寸法（第１領域１１の横方向ＷＤの間隔）も適宜定めることができるが、通常の場合、２０〜４０ｍｍ程度とすることができる。
【００３６】
（薬剤）
薬剤としては、公知の消臭剤や芳香剤、防虫剤、及び殺虫剤等の中から、一種又は複数種を適宜選択して用いることができる。
【００３７】
芳香剤としては、天然香料及び合成香料のいずれを用いてもよいが、排泄物等の臭気に対するマスキング効果（臭気と拮抗し又は競り勝って、その臭気を感じにくくさせる効果）や、特にハーモナージュ効果（臭気と調和し、不快とは感じさせなくする効果）を狙って調香されたものを使用するのが好ましい。香料の具体例としては、リュウゼン香、安息香、海狸香、霊猫香、丁字油、ガルバナム、ジャスミンアブソリュート、ラブタナム、マテ茶、メリロット、ミモザ、ムスクトンキン、ミルラ、オークモス又はモスドシェーヌ、乳香、ビャクシ香、オリス、バチュリ、ローズマリー油、白檀油、ベチバー油、バイオレットリーフアブソリュートなどの天然抽出香料、高級アルコール、アルデヒド、ベンズアルデヒド、安息香酸、ケイ皮酸、ケイ皮アルデヒド、ケイ皮アルコール、クマリン、エステル、インドール、ケトン、サリチル酸と関連化合物、テルペノイド、バニリンなどの各種の合成香料、あるいはこれらの２種以上の混合物を挙げることができるが、特にこれらに限定されるものではない。香料として市販品のものを広く使用することができる。
【００３８】
消臭剤としては、物理吸着タイプ及び化学吸着タイプのいずれを用いても良く、両者を組み合わせても良い。物理吸着タイプの消臭剤としては、活性炭、シリカゲル、ゼオライト（三次元骨格構造をもつアルミノシリケート）、ジルコニウムリン酸塩からなる層状構造粒子、ケイ酸塩からなる立体構造粒子、酸化亜鉛等、公知の消臭剤から、一種又は二種以上を適宜選択して用いることができる。また、化学吸着タイプの消臭剤としては、臭気分子を化学的に吸着する金属イオンを含有するもの、例えば、物質中のイオン交換可能なイオンの一部または全部を銀イオン、銅イオン、亜鉛イオン等で置換してなるものを挙げることができ、より具体的にはゼオライト中のイオン交換可能なイオンの一部または全部を銀イオンで置換してなる粒子（市販品としては（株）シナネンゼオミック社のゼオミック（登録商標））や、ジルコニウムリン酸塩中のイオン交換可能なイオンの一部または全部を銅イオンで置換してなる粒子（Ｚｒ3（ＰＯ4・Ｃｕ2+））、ケイ酸塩中のイオン交換可能なイオンの一部または全部を銅イオンで置換してなる粒子、酸化亜鉛粒子、ケイ酸塩中のイオン交換可能なイオンの一部または全部を亜鉛イオンで置換してなる粒子等を例示することができる。一例として、銅イオンによる消臭（化学吸着）反応式を挙げると、次のとおりである。この場合、臭気分子と金属イオンとが配位結合し、錯イオンを形成する。
Ｃｕ2+  ＋  Ｈ2Ｓ  →  Ｈ2Ｓ：Ｃｕ2+
【００３９】
薬剤は、マイクロカプセルに封入し、その効果発現のタイミングや持続性を制御することができる。
【００４０】
薬剤は、粉粒体等の個体であっても、液体であっても良い。薬剤が固体の場合には、適宜の溶媒に溶解した溶液をシート材１に付与するか、又は適宜の分散媒に分散した分散液をシート材１に付与し、乾燥させることにより、シート材１に薬剤を含有させることができる。
【００４１】
薬剤は、シート材１の表面、裏面及び内部のどこに保持されていてもよい。例えば、樹脂フィルム等のように、薬剤を内部に保持できないシート材１では、薬剤はシート材１の表面及び裏面の少なくとも一方に層状又は膜状に保持させることができる。不織布のように、薬剤を内部に保持できるシート材１では、シート材１の厚み方向の一部又は全部に薬剤を保持させることができ、これとともに又はこれに代えて、シート材１の表面及び裏面の少なくとも一方に薬剤を保持させることができる。
【００４２】
薬剤が単独でシート材１に対する付着性を有しない場合、薬剤は公知のバインダーを介してシート材１に付着させることができる。薬剤は、粘着剤層２にも含有させることができる。
【００４３】
（ミシン目）
図１、及び図４〜図７に示すように、第１領域１１に、縦方向ＬＤに沿って連続するミシン目３が設けられており、このミシン目３を切り離すことにより横方向ＷＤに複数のシートに分割可能となっていると、貼り付け対象のカーテン２０の寸法や、目的とする効果の程度に応じて、カーテン用機能付加シート１０の寸法を適宜調整することができるため好ましい。ミシン目３は、すべての第１領域１１に設けてもよいし、図３に示すように、１つの第１領域以上おきにミシン目３を繰り返し設けてもよい
【００４４】
また、この場合、ミシン目３に沿ってシート材１が折れ曲がりやすくなり、本カーテン用機能付加シート１０が変形しやすくなり、カーテン２０の変形がより阻害されにくくなるため好ましい。このような易折り曲げ部は、ミシン目３以外にも、エンボス加工による凹部（いわゆる罫線加工含む）により形成することができる。したがって、第１領域１１にミシン目３を設けずに、エンボス加工による凹部を設けたり、第１領域１１にミシン目３を設けつつ、ミシン目３以外の部位、例えば第２領域１２にエンボス加工による凹部を形成することもできる。ミシン目３を設ける場合、カット部（切り込み）の形状、カット部とタイ部（カット部の間の連結部）との長さの比等は適宜定めることができる。例えば、ミシン目３は、図９（ａ）（ｂ）に示すように、長さの異なるカット部が縦方向ＬＤに沿って直線的に繰り返すもの（一点鎖線状、二点鎖線状）設けられたものでもよいし、図９（ｃ）（ｄ）に示すように、カット部が波線状（又はジグザグ状）に配置されたものでもよいし、図９（ｃ）（ｄ）に示すように楕円や四角形の打ち抜きにより形成されたカット部を有するものであってもよい。このうち、カーテン２０の皺形状に対するフィット性を考慮すると、ミシン目３は、図１、図４、図５、図６、図７、及び図９（ａ）（ｂ）（ｅ）（ｆ）に示すような直線状のパターンが好ましい。
【００４５】
（製品状態）
カーテン用機能付加シート１０は、製品状態で図１に示すように平坦な一枚のシートであってもよいし、図８に示すように管芯等の芯材１３に巻き付けられたロールであってもよい。カーテン用機能付加シート１０の寸法は特に限定されないが、カーテン２０より縦方向ＬＤの寸法が短いことが望ましい。具体的には、カーテン用機能付加シート１０は、縦方向ＬＤの寸法が０．２〜０．６ｍであり、カーテン用機能付加シート１０の横方向ＷＤの寸法が縦方向ＬＤの寸法の０．５倍以上であると、様々なカーテン２０に対して十分に広範囲に貼り付けできるため好ましい。
【００４６】
＜明細書中の用語の説明＞
明細書中の以下の用語は、明細書中に特に記載が無い限り、以下の意味を有するものである。
【００４７】
・「カーテン」は、いうまでもないがブラインドやロールスクリーンを含まない意味である。
【００４８】
・「目付け」は次のようにして測定されるものである。試料又は試験片を予備乾燥した後、標準状態（試験場所は、温度２３±１℃、相対湿度５０±２％）の試験室又は装置内に放置し、恒量になった状態にする。予備乾燥は、試料又は試験片を温度１００℃の環境で恒量にすることをいう。なお、公定水分率が０．０％の繊維については、予備乾燥を行わなくてもよい。恒量になった状態の試験片から、試料採取用の型板(１００ｍｍ×１００ｍｍ)を使用し、１００ｍｍ×１００ｍｍの寸法の試料を切り取る。試料の重量を測定し、１００倍して１平米あたりの重さを算出し、目付けとする。
【００４９】
・「厚み」は、自動厚み測定器（ＫＥＳ−Ｇ５  ハンディ圧縮計測プログラム）を用い、荷重：０．０９８Ｎ／ｃｍ2、及び加圧面積：２ｃｍ2の条件下で自動測定する。
【００５０】
・「展開状態」とは、収縮や弛み（弾性部材によるものも、そうでないものも含む）無く平坦に展開した状態を意味する。
【００５１】
・各部の寸法は、特に記載が無い限り、展開状態における寸法を意味する。
【００５２】
・試験や測定における環境条件についての記載が無い場合、その試験や測定は、標準状態（試験場所は、温度２３±１℃、相対湿度５０±２％）の試験室又は装置内で行うものとする。
【産業上の利用可能性】
【００５３】
本発明は、消臭剤や芳香剤、防虫剤、殺虫剤等の薬剤による機能を付加するためのカーテン用機能付加シートとして利用できるものである。
【符号の説明】
【００５４】
１…シート材、２…粘着剤層、１０…カーテン用機能付加シート、１１…第１領域、１２…第２領域、ＬＤ…縦方向、ＷＤ…横方向、２０…カーテン、３…ミシン目。
【図１】
2020048997.tif 000003
【図２】
2020048997.tif 000004
【図３】
2020048997.tif 000005
【図４】
2020048997.tif 000006
【図５】
2020048997.tif 000007
【図６】
2020048997.tif 000008
【図７】
2020048997.tif 000009
【図８】
2020048997.tif 000010
【図９】
2020048997.tif 000011